【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
ワイヤレスシステム内で媒体アクセス制御（ＭＡＣ）プロトコルデータユニットを処理する方法であって、
プロトコルバージョンに従う通信のインジケーションを備える前記ＭＡＣプロトコルデータユニットを受信することと、
前記インジケーションに少なくとも部分的に基づいて複数のリプレイカウンタの第１および第２のセットのうちの１つからリプレイカウンタを選択することと、
前記プロトコルバージョンに従う前記通信の前記インジケーションを備えるナンスを、前記受信されたＭＡＣプロトコルデータユニットに基づいて生成することと、
前記選択されたリプレイカウンタに従って前記受信されたＭＡＣプロトコルデータユニットを処理することとを備える、方法。
【請求項２】
複数のリプレイカウンタの前記第１および第２のセットが、それぞれ、トラフィックインジケータおよび送信機アドレスの各々ごとに１つのリプレイカウンタを備える、請求項１に記載の方法。
【請求項３】
前記受信されたＭＡＣプロトコルデータユニットを処理することが、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄することを備える、請求項１に記載の方法。
【請求項４】
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、請求項１に記載の方法。
【請求項５】
前記ナンスが、４ビット優先度フィールド、１ビット管理フィールド、１ビットプロトコルインジケーションフラグ、６バイト送信機アドレスフィールド、および６バイトパケット番号フィールドのうちの１つまたは複数を備える、請求項１に記載の方法。
【請求項６】
前記１ビットプロトコルインジケーションフラグが、セットされたときに、特定のプロトコルバージョンを示す、請求項５に記載の方法。
【請求項７】
第１および第２のプロトコルバージョンに従う通信と関連付けられた複数のリプレイカウンタの前記第１および第２のセットをそれぞれ維持することと、
前記第１のプロトコルバージョンに従う通信と関連付けられた第１の暗号化キーと、前記第２のプロトコルバージョンに従う通信と関連付けられた第２の暗号化キーとを導出することとをさらに備える、請求項１に記載の方法。
【請求項８】
前記プロトコルバージョンインジケーションが前記第１のプロトコルバージョンを示すときに、前記第１の暗号化キーを使用して前記ＭＡＣプロトコルデータユニットの第１の部分を復号することと、
前記プロトコルバージョンインジケーションが前記第２のプロトコルバージョンを示すときに、前記第２の暗号化キーを使用して前記ＭＡＣプロトコルデータユニットの第２の部分を復号することとをさらに備える、請求項７に記載の方法。
【請求項９】
前記第１および第２の暗号化キーが、一時キーを備える、請求項７に記載の方法。
【請求項１０】
前記ＭＡＣプロトコルデータユニットがパケット番号を備え、前記プロトコルバージョンインジケーションが前記第１のプロトコルバージョンを示すときに、前記パケット番号が、前記ＭＡＣプロトコルデータユニットと関連付けられた記憶されたパケット番号情報に少なくとも部分的に基づき、前記プロトコルバージョンインジケーションが前記第２のプロトコルバージョンを示すときに、前記パケット番号が、前記ＭＡＣプロトコルデータユニットのシーケンス番号に少なくとも部分的に基づく、請求項７に記載の方法。
【請求項１１】
ワイヤレスシステム内で媒体アクセス制御（ＭＡＣ）プロトコルデータユニットを処理するように構成されたワイヤレスデバイスであって、
プロトコルバージョンに従う通信のインジケーションを備える前記ＭＡＣプロトコルデータユニットを受信するように構成された受信機と、
前記インジケーションに少なくとも部分的に基づいて複数のリプレイカウンタの第１および第２のセットのうちの１つからリプレイカウンタを選択すること、
前記プロトコルバージョンに従う前記通信の前記インジケーションを備えるナンスを、前記受信されたＭＡＣプロトコルデータユニットに基づいて生成すること、並びに
前記選択されたリプレイカウンタに従って前記受信されたＭＡＣプロトコルデータユニットを処理すること
を行うように構成されたプロセッサとを備える、ワイヤレスデバイス。
【請求項１２】
複数のリプレイカウンタの前記第１および第２のセットが、それぞれ、トラフィックインジケータおよび送信機アドレスの各々ごとに１つのリプレイカウンタを備える、請求項１１に記載のワイヤレスデバイス。
【請求項１３】
前記プロセッサが、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄することによって、前記受信されたＭＡＣプロトコルデータユニットを処理するようにさらに構成される、請求項１１に記載のワイヤレスデバイス。
【請求項１４】
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、請求項１１に記載のワイヤレスデバイス。
【請求項１５】
前記ナンスが、４ビット優先度フィールド、１ビット管理フィールド、１ビットプロトコルインジケーションフラグ、６バイト送信機アドレスフィールド、および６バイトパケット番号フィールドのうちの１つまたは複数を備える、請求項１１に記載のワイヤレスデバイス。
【請求項１６】
前記１ビットプロトコルインジケーションフラグが、セットされたときに、特定のプロトコルバージョンを示す、請求項１５に記載のワイヤレスデバイス。
【請求項１７】
前記プロセッサが、
第１および第２のプロトコルバージョンに従う通信と関連付けられた複数のリプレイカウンタの前記第１および第２のセットをそれぞれ維持することと、
前記第１のプロトコルバージョンに従う通信と関連付けられた第１の暗号化キーと、前記第２のプロトコルバージョンに従う通信と関連付けられた第２の暗号化キーとを導出することとを行うようにさらに構成される、請求項１１に記載のワイヤレスデバイス。
【請求項１８】
前記プロセッサが、
前記プロトコルバージョンインジケーションが前記第１のプロトコルバージョンを示すときに、前記第１の暗号化キーを使用して前記ＭＡＣプロトコルデータユニットの第１の部分を復号することと、
前記プロトコルバージョンインジケーションが前記第２のプロトコルバージョンを示すときに、前記第２の暗号化キーを使用して前記ＭＡＣプロトコルデータユニットの第２の部分を復号することとを行うようにさらに構成される、請求項１７に記載のワイヤレスデバイス。
【請求項１９】
前記第１および第２の暗号化キーが、一時キーを備える、請求項１７に記載のワイヤレスデバイス。
【請求項２０】
ワイヤレスシステム内で媒体アクセス制御（ＭＡＣ）プロトコルデータユニットを処理するための装置であって、
プロトコルバージョンに従う通信のインジケーションを備える前記ＭＡＣプロトコルデータユニットを受信するための手段と、
前記インジケーションに少なくとも部分的に基づいて複数のリプレイカウンタの第１および第２のセットのうちの１つからリプレイカウンタを選択するための手段と、
前記プロトコルバージョンに従う前記通信の前記インジケーションを備えるナンスを、前記受信されたＭＡＣプロトコルデータユニットに基づいて生成するための手段と、
前記選択されたリプレイカウンタに従って前記受信されたＭＡＣプロトコルデータユニットを処理するための手段とを備える、装置。
【請求項２１】
複数のリプレイカウンタの前記第１および第２のセットが、それぞれ、トラフィックインジケータおよび送信機アドレスの各々ごとに１つのリプレイカウンタを備える、請求項２０に記載の装置。
【請求項２２】
前記受信されたＭＡＣプロトコルデータユニットを処理するための前記手段が、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄するための手段を備える、請求項２０に記載の装置。
【請求項２３】
第１および第２のプロトコルバージョンに従う通信と関連付けられた複数のリプレイカウンタの前記第１および第２のセットをそれぞれ維持するための手段をさらに備え、
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、請求項２０に記載の方法。
【請求項２４】
コードを備える非一時的コンピュータ可読媒体であって、前記コードが、１つまたは複数のプロセッサによって実行されたときに、
プロトコルバージョンに従う通信のインジケーションを備える媒体アクセス制御（ＭＡＣ）プロトコルデータユニットを受信することと、
前記インジケーションに少なくとも部分的に基づいて複数のリプレイカウンタの第１および第２のセットのうちの１つからリプレイカウンタを選択することと、
前記プロトコルバージョンに従う前記通信の前記インジケーションを備えるナンスを、前記受信されたＭＡＣプロトコルデータユニットに基づいて生成することと、
前記選択されたリプレイカウンタに従って前記受信されたＭＡＣプロトコルデータユニットを処理することとを装置に行わせる、媒体。
【請求項２５】
複数のリプレイカウンタの前記第１および第２のセットが、それぞれ、トラフィックインジケータおよび送信機アドレスの各々ごとに１つのリプレイカウンタを備える、請求項２４に記載の媒体。
【請求項２６】
１つまたは複数のプロセッサによって実行されたときに、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄することによって、前記受信されたＭＡＣプロトコルデータユニットを処理することを前記装置に行わせるコードをさらに備える、請求項２４に記載の媒体。
【請求項２７】
１つまたは複数のプロセッサによって実行されたときに、第１および第２のプロトコルバージョンに従う通信と関連付けられた複数のリプレイカウンタの前記第１および第２のセットをそれぞれ維持することを前記装置に行わせるコードをさらに備え、
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、請求項２４に記載の媒体。
【手続補正２】
【補正対象書類名】明細書
【補正対象項目名】０１３３
【補正方法】変更
【補正の内容】
【０１３３】
[00142]  上記は本開示の態様を対象とするが、本開示の他の態様およびさらなる態様は、その基本的範囲から逸脱することなく考案され得、その範囲は以下の特許請求の範囲によって決定される。
以下に本願発明の当初の特許請求の範囲に記載された発明を付記する。
［Ｃ１］
ワイヤレスシステム内で媒体アクセス制御（ＭＡＣ）プロトコルデータユニットを処理する方法であって、
プロトコルバージョンに従う通信のインジケーションを備える前記ＭＡＣプロトコルデータユニットを受信することと、
前記インジケーションに少なくとも部分的に基づいて複数のリプレイカウンタの第１および第２のセットのうちの１つからリプレイカウンタを選択することと、
前記選択されたリプレイカウンタに従って前記受信されたＭＡＣプロトコルデータユニットを処理することとを備える、方法。
［Ｃ２］
リプレイカウンタの前記第１および第２のセットが、それぞれ、トラフィックインジケータおよび送信機アドレスの各々ごとに１つのリプレイカウンタを備える、Ｃ１に記載の方法。
［Ｃ３］
前記受信されたＭＡＣプロトコルデータユニットを処理することが、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄することを備える、Ｃ１に記載の方法。
［Ｃ４］
第１および第２のプロトコルバージョンに従う通信と関連付けられたリプレイカウンタの前記第１および第２のセットをそれぞれ維持することをさらに備え、
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、Ｃ１に記載の方法。
［Ｃ５］
前記プロトコルバージョンに従う前記通信の前記インジケーションを備えるナンスを、前記受信されたＭＡＣプロトコルデータユニットに基づいて生成することをさらに備える、Ｃ１に記載の方法。
［Ｃ６］
前記ナンスが、４ビット優先度フィールド、１ビット管理フィールド、１ビットプロトコルインジケーションフラグ、６バイト送信機アドレスフィールド、および６バイトパケット番号フィールドのうちの１つまたは複数を備える、Ｃ５に記載の方法。
［Ｃ７］
前記１ビットプロトコルインジケーションフラグが、セットされたときに、特定のプロトコルバージョンを示す、Ｃ６に記載の方法。
［Ｃ８］
第１および第２のプロトコルバージョンに従う通信と関連付けられたリプレイカウンタの前記第１および第２のセットをそれぞれ維持することと、
前記第１のプロトコルバージョンに従う通信と関連付けられた第１の暗号化キーと、前記第２のプロトコルバージョンに従う通信と関連付けられた第２の暗号化キーとを導出することとをさらに備える、Ｃ１に記載の方法。
［Ｃ９］
前記プロトコルバージョンインジケーションが前記第１のプロトコルバージョンを示すときに、前記第１の暗号化キーを使用して前記ＭＡＣプロトコルデータユニットの第１の部分を復号することと、
前記プロトコルバージョンインジケーションが前記第２のプロトコルバージョンを示すときに、前記第２の暗号化キーを使用して前記ＭＡＣプロトコルデータユニットの第２の部分を復号することとをさらに備える、Ｃ８に記載の方法。
［Ｃ１０］
前記第１および第２の暗号化キーが、一時キーを備える、Ｃ８に記載の方法。
［Ｃ１１］
前記ＭＡＣプロトコルデータユニットがパケット番号を備え、前記プロトコルバージョンインジケーションが前記第１のプロトコルバージョンを示すときに、前記パケット番号が、前記ＭＡＣプロトコルデータユニットと関連付けられた記憶されたパケット番号情報に少なくとも部分的に基づき、前記プロトコルバージョンインジケーションが前記第２のプロトコルバージョンを示すときに、前記パケット番号が、前記ＭＡＣプロトコルデータユニットのシーケンス番号に少なくとも部分的に基づく、Ｃ８に記載の方法。
［Ｃ１２］
ワイヤレスシステム内で媒体アクセス制御（ＭＡＣ）プロトコルデータユニットを処理するように構成されたワイヤレスデバイスであって、
プロトコルバージョンに従う通信のインジケーションを備える前記ＭＡＣプロトコルデータユニットを受信するように構成された受信機と、
前記インジケーションに少なくとも部分的に基づいて複数のリプレイカウンタの第１および第２のセットのうちの１つからリプレイカウンタを選択すること、並びに
前記選択されたリプレイカウンタに従って前記受信されたＭＡＣプロトコルデータユニットを処理すること
を行うように構成されたプロセッサとを備える、ワイヤレスデバイス。
［Ｃ１３］
リプレイカウンタの前記第１および第２のセットが、それぞれ、トラフィックインジケータおよび送信機アドレスの各々ごとに１つのリプレイカウンタを備える、Ｃ１２に記載のワイヤレスデバイス。
［Ｃ１４］
前記プロセッサが、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄することによって、前記受信されたＭＡＣプロトコルデータユニットを処理するようにさらに構成される、Ｃ１２に記載のワイヤレスデバイス。
［Ｃ１５］
第１および第２のプロトコルバージョンに従う通信と関連付けられたリプレイカウンタの前記第１および第２のセットをそれぞれ維持するように構成されたメモリをさらに備え、
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、Ｃ１２に記載のワイヤレスデバイス。
［Ｃ１６］
前記プロセッサが、前記プロトコルバージョンに従う前記通信の前記インジケーションを備えるナンスを、前記受信されたＭＡＣプロトコルデータユニットに基づいて生成するようにさらに構成される、Ｃ１２に記載のワイヤレスデバイス。
［Ｃ１７］
前記ナンスが、４ビット優先度フィールド、１ビット管理フィールド、１ビットプロトコルインジケーションフラグ、６バイト送信機アドレスフィールド、および６バイトパケット番号フィールドのうちの１つまたは複数を備える、Ｃ１６に記載のワイヤレスデバイス。
［Ｃ１８］
前記１ビットプロトコルインジケーションフラグが、セットされたときに、特定のプロトコルバージョンを示す、Ｃ１７に記載のワイヤレスデバイス。
［Ｃ１９］
前記プロセッサが、
第１および第２のプロトコルバージョンに従う通信と関連付けられたリプレイカウンタの前記第１および第２のセットをそれぞれ維持することと、
前記第１のプロトコルバージョンに従う通信と関連付けられた第１の暗号化キーと、前記第２のプロトコルバージョンに従う通信と関連付けられた第２の暗号化キーとを導出することとを行うようにさらに構成される、Ｃ１２に記載のワイヤレスデバイス。
［Ｃ２０］
前記プロセッサが、
前記プロトコルバージョンインジケーションが前記第１のプロトコルバージョンを示すときに、前記第１の暗号化キーを使用して前記ＭＡＣプロトコルデータユニットの第１の部分を復号することと、
前記プロトコルバージョンインジケーションが前記第２のプロトコルバージョンを示すときに、前記第２の暗号化キーを使用して前記ＭＡＣプロトコルデータユニットの第２の部分を復号することとを行うようにさらに構成される、Ｃ１９に記載のワイヤレスデバイス。
［Ｃ２１］
前記第１および第２の暗号化キーが、一時キーを備える、Ｃ１９に記載のワイヤレスデバイス。
［Ｃ２２］
ワイヤレスシステム内で媒体アクセス制御（ＭＡＣ）プロトコルデータユニットを処理するための装置であって、
プロトコルバージョンに従う通信のインジケーションを備える前記ＭＡＣプロトコルデータユニットを受信するための手段と、
前記インジケーションに少なくとも部分的に基づいて複数のリプレイカウンタの第１および第２のセットのうちの１つからリプレイカウンタを選択するための手段と、
前記選択されたリプレイカウンタに従って前記受信されたＭＡＣプロトコルデータユニットを処理するための手段とを備える、装置。
［Ｃ２３］
リプレイカウンタの前記第１および第２のセットが、それぞれ、トラフィックインジケータおよび送信機アドレスの各々ごとに１つのリプレイカウンタを備える、Ｃ２２に記載の装置。
［Ｃ２４］
前記受信されたＭＡＣプロトコルデータユニットを処理するための前記手段が、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄するための手段を備える、Ｃ２２に記載の装置。
［Ｃ２５］
第１および第２のプロトコルバージョンに従う通信と関連付けられたリプレイカウンタの前記第１および第２のセットをそれぞれ維持するための手段をさらに備え、
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、Ｃ２２に記載の方法。
［Ｃ２６］
前記プロトコルバージョンに従う前記通信の前記インジケーションを備えるナンスを、前記受信されたＭＡＣプロトコルデータユニットに基づいて生成するための手段をさらに備える、Ｃ２２に記載の方法。
［Ｃ２７］
コードを備える非一時的コンピュータ可読媒体であって、前記コードが、１つまたは複数のプロセッサによって実行されたときに、
プロトコルバージョンに従う通信のインジケーションを備える媒体アクセス制御（ＭＡＣ）プロトコルデータユニットを受信することと、
前記インジケーションに少なくとも部分的に基づいて複数のリプレイカウンタの第１および第２のセットのうちの１つからリプレイカウンタを選択することと、
前記選択されたリプレイカウンタに従って前記受信されたＭＡＣプロトコルデータユニットを処理することとを装置に行わせる、媒体。
［Ｃ２８］
リプレイカウンタの前記第１および第２のセットが、それぞれ、トラフィックインジケータおよび送信機アドレスの各々ごとに１つのリプレイカウンタを備える、Ｃ２７に記載の媒体。
［Ｃ２９］
コードをさらに備え、前記コードが、１つまたは複数のプロセッサによって実行されたときに、前記ＭＡＣプロトコルデータユニットのパケット番号が前記選択されたリプレイカウンタにおいて維持される値以下であるかどうかに基づいて、前記ＭＡＣプロトコルデータユニットを選択的に破棄することによって、前記受信されたＭＡＣプロトコルデータユニットを前記装置に処理させる、Ｃ２７に記載の媒体。
［Ｃ３０］
コードをさらに備え、前記コードが、１つまたは複数のプロセッサによって実行されたときに、第１および第２のプロトコルバージョンに従う通信と関連付けられたリプレイカウンタの前記第１および第２のセットをそれぞれ維持することを前記装置に行わせ、
前記ＭＡＣプロトコルデータユニットが、前記プロトコルバージョンが前記第１のプロトコルバージョンを示すときに、第１の長さを有する第１のセキュリティヘッダをさらに備え、
前記ＭＡＣプロトコルデータユニットが、前記プロトコルバージョンが前記第２のプロトコルバージョンを示すときに、前記第１の長さより短い第２の長さを有する第２のセキュリティヘッダをさらに備える、Ｃ２７に記載の媒体。